(57)【要約】【課題】反転板が反転した際に生じるクリック音を効果的に小さくすることができる、構造の簡単な押圧式スイッチを提供すること。【解決手段】フイルム３１上にスイッチパターン３３を形成してなるフレキシブル回路基板３０と、フレキシブル回路基板３０のスイッチパターン３３上に取り付けられる反転板５０と、フレキシブル回路基板３０のスイッチパターン３３を形成した反対側の面に接着材層（中間層）２０を介して取り付けられる基台１０とを具備する。接着材層２０の反転板５０に対向する部分に穴２１を設けることでフレキシブル回路基板３０と基台１０の間に空間部８０を形成する。反転する反転板５０がフレキシブル回路基板３０のスイッチパターン３３に当接してスイッチをオンした上でさらにフレキシブル回路基板３０を押圧して撓めて空間部８０内に入り込ませる。【選択図】図２
2014086153.tif 000002
【特許請求の範囲】
【請求項１】
可撓性を有するフイルム上にスイッチパターンを形成してなるフレキシブル回路基板と、
前記フレキシブル回路基板のスイッチパターン上に取り付けられる反転板と、
前記フレキシブル回路基板のスイッチパターンを形成した反対側の面に中間層を介して取り付けられる基台と、を具備する押圧式スイッチにおいて、
前記中間層の前記反転板に対向する部分に穴を設けることで前記フレキシブル回路基板と基台の間に空間部を形成し、反転する反転板がフレキシブル回路基板のスイッチパターンに当接してスイッチをオンした上でさらにフレキシブル回路基板を押圧して撓めて前記空間部内に入り込ませることを特徴とする押圧式スイッチ。
【請求項２】
請求項１に記載の押圧式スイッチであって、
前記中間層中に設けた穴の内径寸法は、前記反転板の外径寸法よりも小さく形成され、これによって反転板の外周辺を中間層が積層されているフレキシブル回路基板上に載置していることを特徴とする押圧式スイッチ。
【請求項３】
請求項１に記載の押圧式スイッチであって、
前記中間層は、前記フレキシブル回路基板と基台間を接着する接着材層であることを特徴とする押圧式スイッチ。
【請求項４】
請求項１に記載の押圧式スイッチであって、
前記空間部の高さ寸法は、前記反転板の反転によって撓められたフレキシブル回路基板が基台表面に直接又は他の層を介して間接に当接することでフレキシブル回路基板の移動が停止させられる寸法に形成されていることを特徴とする押圧式スイッチ。
【発明の詳細な説明】
【技術分野】
【０００１】
本発明は、スイッチをオンオフ操作する際にクリック感触が生じる構成の押圧式スイッチであって、特にクリック感触が生じる際に発生する音（振動）を防止できる押圧式スイッチに関するものである。
【背景技術】
【０００２】
従来、押圧式スイッチは、例えば特許文献１の図１に示すように、可撓性を有する合成樹脂フイルム（３１）上にスイッチ接点パターン（３３），（３５）を形成してなるスイッチ基板（３０）と、スイッチ基板（３０）のスイッチパターン（３３），（３５）上に取り付けられる反転板（４０）と、反転板（４０）上に設置されるキートップ（７０）と、スイッチ基板（３０）の下面側に設置される取付台（１０）とを具備して構成されている。そしてキートップ（７０）を押圧すれば、反転板（４０）が反転してその下面中央がスイッチパターン（３３）に当接してスイッチがオンする。
【０００３】
ところで前記押圧式スイッチにおいては、反転板（４０）が反転する際に音（以下「クリック音」という）が発生する。そしてこのクリック音を防止するため従来は、例えば特許文献１に示すように、反転板（４０）上を覆うゴム状弾性材からなる消音部材（５０）を設置していた。
【先行技術文献】
【特許文献】
【０００４】
【特許文献１】特開２００９−７６４１４号公報
【発明の概要】
【発明が解決しようとする課題】
【０００５】
上述のように消音部材（５０）で反転板（４０）を覆えば、発生したクリック音が外部に伝搬するのを抑えることはできる。
【０００６】
しかしながら、クリック音（振動）自体は発生するので、発生したクリック音の一部が消音部材（５０）から外部に漏れたり、振動としてスイッチ基板（３０）や取付台（１０）から外部に漏れてしまう場合があった。特に波長の短い高音のクリック音は耳触りとなり、より効果的な消音が求められていた。また上記特許文献１の押圧式スイッチの場合、消音部材（５０）を貼り付けるための貼り付け治具が必要になり、また貼りズレ、接着材のはみ出しなど、製品不良の原因となる恐れもあった。
【０００７】
本発明は上述の点に鑑みてなされたものでありその目的は、反転板の反転によってクリック感触を生じる構成の押圧式スイッチであって、反転板が反転した際に生じるクリック音を効果的に小さくすることができる、構造の簡単な押圧式スイッチを提供することにある。
【課題を解決するための手段】
【０００８】
本願発明者は上記クリック音が発生する原因について研究を重ね、反転時の音の多くが反転板の周囲（外周付近）が持ち上がろうとすることによって生じていると考えた。即ち反転板はこれを単独で反転させた場合、外周部分よりも中央部分が少し下側に突出するように変形する。このため反転板をスイッチ基板上で反転させた場合、反転板の反転時に反転板の周囲の部分がスイッチ基板の表面から持ち上がろうとする。そしてスイッチ基板の表面から離れようとすることでスイッチ基板の表面への押圧力が小さくなって振動し易くなった反転板の周囲の部分が高い周波数で振動し、高音の音が発生すると推測した。そこでこの現象に鑑み、本願発明者は以下のように本発明を構成した。
【０００９】
即ち本発明は、可撓性を有するフイルム上にスイッチパターンを形成してなるフレキシブル回路基板と、前記フレキシブル回路基板のスイッチパターン上に取り付けられる反転板と、前記フレキシブル回路基板のスイッチパターンを形成した反対側の面に中間層を介して取り付けられる基台とを具備する押圧式スイッチにおいて、前記中間層の前記反転板に対向する部分に穴を設けることで前記フレキシブル回路基板と基台の間に空間部を形成し、反転する反転板がフレキシブル回路基板のスイッチパターンに当接してスイッチをオンした上でさらにフレキシブル回路基板を押圧して撓めて前記空間部内に入り込ませる構成とした。
このように構成すれば、反転板が反転してスイッチがオンする際に、反転板の中央部分はフレキシブル回路基板を押圧してこれを撓めて空間部内に入り込ませる。このため反転板の周囲の部分はこれを載置しているフレキシブル回路基板の表面から持ち上がろうとせず、フレキシブル回路基板の表面に強く当接したままとなる。即ち反転板の周囲の部分はフレキシブル回路基板の表面に強く当接したままの状態が保てて反転の際の力（振動）を支え、反転板の振動（特に高周波の振動）を抑制し、クリック音（特にその高音部分）を効果的に防止する。
さらに反転板が反転する際、反転板は柔軟性のあるフレキシブル回路基板に強く押し付けられるので、反転板の反転時の振動（特に高周波の振動）の一部はこれを押し付けた軟らかいフレキシブル回路基板が吸収し、減衰する。この点からも反転板の振動が抑制され、クリック音（特にその高音部分）の発生が効果的に防止される。
実際に下記する実施形態に係る押圧式スイッチ（押圧式スイッチ１−１）を作成し、空間部を設けていない従来の構造の押圧式スイッチとクリック音を比較すると、本実施形態に係る押圧式スイッチのクリック音の方がかなり小さいことが確認できた。
【００１０】
また本発明は、前記中間層中に設けた穴の内径寸法を、前記反転板の外径寸法よりも小さく形成し、これによって反転板の外周辺を中間層が積層されているフレキシブル回路基板上に載置することとした。これによって反転板の外周辺は中間層が積層されているフレキシブル回路基板上に載置され、反転時に振動しようとする反転板の外周辺が確実に支えられ、クリック音の発生が確実に防止される。
【００１１】
また本発明は、前記中間層を、前記フレキシブル回路基板と基台間を接着する接着材層で構成した。このようにフレキシブル回路基板と基台間を接着するために元々必要な接着材層をそのまま中間層として用いるので、別途部品点数が増加することなく、簡易な構造で効果的に消音効果を発揮させることができる。
【００１２】
また本発明は、前記空間部の高さ寸法を、前記反転板の反転によって撓められたフレキシブル回路基板が基台表面に直接又は他の層を介して間接に当接することでフレキシブル回路基板の移動が停止させられる寸法に形成した。これによってフレキシブル回路基板が撓みすぎることを防止でき、フレキシブル回路基板の耐久性を十分維持でき、ひいては押圧式スイッチの耐久性の低下を防止できる。
【発明の効果】
【００１３】
本発明によれば、構造が簡単であって、且つ反転板が反転した際に生じるクリック音を効果的に小さくすることができる押圧式スイッチを構成できる。
【図面の簡単な説明】
【００１４】
【図１】押圧式スイッチ１−１の拡大分解斜視図である。
【図２】押圧式スイッチ１−１の拡大側断面図である。
【図３】押圧式スイッチ１−１の動作説明図である。
【図４】押圧式スイッチ１−１の動作説明図である。
【図５】多方向押圧型電子部品１００の斜視図である。
【図６】多方向押圧型電子部品１００の分解斜視図である。
【図７】揺動キートップ２００と中央キートップ１７０とキートップ取付部材１６５を下側から見た分解斜視図である。
【図８】多方向押圧型電子部品１００の側断面図である。
【図９】押圧式スイッチ１−２の拡大側断面図である。
【図１０】押圧式スイッチ１−３の拡大側断面図である。
【発明を実施するための形態】
【００１５】
以下、本発明の実施形態を図面を参照して詳細に説明する。図１は本発明の第１実施形態に係る押圧式スイッチ１−１の拡大分解斜視図、図２は押圧式スイッチ１−１の拡大側断面図（図１のＡ−Ａ断面図、但し粘着テープ６０の記載を省略）である。両図に示すように押圧式スイッチ１−１は、硬質板からなる基台１０上に中間層（以下「接着材層」という）２０を介してフレキシブル回路基板３０を載置・接着し、このフレキシブル回路基板３０の表面（上面）に形成したスイッチパターン３３上に反転板５０を載置し、この反転板５０を粘着テープ６０によってフレキシブル回路基板３０上に貼り付けて構成されている。なお以下の説明において、「上」とはフレキシブル回路基板３０から反転板５０を見る方向をいい、「下」とはその反対方向をいうものとする。
【００１６】
基台１０はこの例では合成樹脂を平板状に成形してなる絶縁性の硬質板によって構成されている。なお基台１０の形状は必ずしも平板状である必要はなく、その表面（基板載置面）１１が平面状でフレキシブル回路基板３０を載置できる形状であればよい。またその材質も合成樹脂に限定されず、硬質材であれば金属等の他の材質であっても良い。
【００１７】
接着材層２０は可撓性を有するシートの上下面に接着層を有する絶縁性の両面接着シートであり、反転板５０に対向する部分に円形の穴２１を設けている。穴２１の内径寸法（この例では４mm）は、反転板５０の外径寸法（この例では５mm）よりも小さく形成されている。またこの例では接着材層の厚みを７５μｍとしている。
【００１８】
フレキシブル回路基板３０は、可撓性を有する絶縁性のフイルム３１上にスイッチパターン３３を形成して構成されている。フイルム３１としてこの例ではポリエチレンテレフタレートフイルムを用いているが、他の各種材質からなる絶縁性の合成樹脂フイルムを用いても良いし、ゴム材等の合成樹脂以外の材質のフイルムを用いても良い。またこの例ではフレキシブル回路基板３０の厚みを７５μｍとしている。
【００１９】
スイッチパターン３３は、反転板５０の下記する４つの当接突起５５を当接する４つのパターン当接部３５を有する外周接点パターン３７と、反転板５０の中央に対向する位置に設けられる中央接点パターン４１とを具備している。パターン当接部３５は小円形状であり、各パターン当接部３５間はこれらを直線状に連結する３本の連結パターン３９によって接続している。そして中央接点パターン４１には引出回路パターン４３が接続され、２つのパターン当接部３５にも引出回路パターン４５が接続されている。
【００２０】
反転板５０は、１枚の弾性を有する金属（例えばステンレス）製の円形の薄板を絞り加工することで、その外周部を円錐台形状のスカート部５１、その内側の中央部を上方に膨らむ略球面状のドーム部５３として構成されている。スカート部５１の傾斜角度は、ドーム部５３の外周部分の傾斜角度よりも大きく形成されている（図２参照）。スカート部５１内の等間隔に離れた４か所には、下方向に向かって突出する当接突起５５が形成されている。
【００２１】
そして前記フレキシブル回路基板３０のスイッチパターン３３上に反転板５０を載置し、その際反転板５０の各当接突起５５をスイッチパターン３３の各パターン当接部３５に当接し、さらに反転板５０上から粘着テープ６０を貼り付けて反転板５０をフレキシブル回路基板３０に取り付ける。次に前記フレキシブル回路基板３０の下面（フレキシブル回路基板３０のスイッチパターン３３を形成した反対側の面）に接着材層２０の上面を貼り付け、さらに接着材層２０の下面を基台１０の表面に貼り付ける。これによって押圧式スイッチ１−１が完成する。なお上記組立手順はその一例であり、他の各種異なる組立手順を用いて組み立てても良いことはいうまでもない。
【００２２】
以上のようにして組み立てられた押圧式スイッチ１−１は、図２に示すように、可撓性を有するフイルム３１上にスイッチパターン３３を形成してなるフレキシブル回路基板３０と、フレキシブル回路基板３０のスイッチパターン３３上に取り付けられる反転板５０と、フレキシブル回路基板３０のスイッチパターン３３を形成した反対側の面に接着材層２０を介して取り付けられる基台１０とを具備している。なお反転板５０の上（実際には図示を省略した粘着テープ６０の上）にはキートップ７０の押圧部７１が配置される。そして接着材層２０の反転板５０に対向する部分に設けた穴２１によって、フレキシブル回路基板３０と基台１０の間に空間部８０を形成している。
【００２３】
そして図２に示す押圧式スイッチ１−１において、キートップ７０を真下に向けて押圧すれば、まず図３に示すように反転板５０（そのドーム部５３の部分）が反転を始めて反転板５０の下面中央がフレキシブル回路基板３０の中央接点パターン４１に当接してスイッチをオンし、引き続き図４に示すように、フレキシブル回路基板３０を押圧して下方向に撓めて空間部８０内に入り込ませ、フレキシブル回路基板３０が基台１０の表面に当接することでその移動が停止する。
【００２４】
そして実際に、反転板５０が反転してスイッチがオンする際のクリック音は、同一構造で空間部８０を設けない押圧式スイッチのクリック音に比べてかなり小さくなった。これは以下の理由によるものと考えられる。即ち、反転板５０が反転してスイッチがオンする際、反転板５０の中央部分はフレキシブル回路基板３０を押圧してこのフレキシブル回路基板３０を撓めて空間部８０内に入り込ませ、同時に反転板５０の中央部分下面は反転板５０の外周辺の位置よりも下側まで移動する。このため反転板５０の周囲の部分（スカート部５１、特に当接突起５５の部分）はこれを載置しているフレキシブル回路基板３０の表面から持ち上がろうとせず、フレキシブル回路基板３０の表面に強く当接したままとなる。即ち反転板５０の周囲の部分はフレキシブル回路基板３０の表面に強く当接したままの状態が保てて反転の際の力（振動）を支え、反転板５０の振動（特に高周波の振動）を抑制する。このためクリック音（特にその高音部分）の発生が効果的に防止されたものと考えられる。
【００２５】
また反転板５０が反転する際、反転板５０は柔軟性のあるフレキシブル回路基板３０に強く押し付けられるので、反転板５０の反転時の振動（特に高周波の振動）の一部はこれを押し付けた軟らかいフレキシブル回路基板３０が吸収し、減衰する。この点からも反転板５０の振動が抑制され、クリック音（特にその高音部分）の発生が効果的に防止される。
【００２６】
さらにこの押圧式スイッチ１−１においては、接着材層２０中に設けた穴２１の内径寸法を、反転板５０の外径寸法よりも小さく形成しており、これによって反転板５０の外周辺を接着材層２０が積層されているフレキシブル回路基板３０上に載置している。これによって反転時に振動しようとする反転板５０の外周辺が確実に支えられ、この点からもクリック音の発生が確実に防止される。
【００２７】
なおスイッチがオンする際、反転板５０によって押圧されたフレキシブル回路基板３０は基台１０の表面に当接し、フレキシブル回路基板３０はそれ以上撓まない。このように撓んだフレキシブル回路基板３０が基台１０の表面に当接するように構成したので、フレキシブル回路基板３０が撓みすぎることを防止でき、フレキシブル回路基板３０の耐久性を十分維持でき、ひいては押圧式スイッチ１−１の耐久性の低下を防止できる。またフレキシブル回路基板３０が基台１０に当接することで反転板５０のオーバーストロークを防ぐことができ、反転板５０の耐久性を十分維持することもできる。
【００２８】
図５は本発明に係る押圧式スイッチを用いて構成した多方向押圧型電子部品１００の斜視図、図６は多方向押圧型電子部品１００の分解斜視図、図７は多方向押圧型電子部品１００を構成する揺動キートップ２００と中央キートップ１７０とキートップ取付部材１６５とをそれぞれ下側から見た分解斜視図、図８は多方向押圧型電子部品１００の側断面図（図５のＢ−Ｂ断面図）である。
【００２９】
図６に示すように多方向押圧型電子部品１００は、基台１１０上に、接着材層１２０、フレキシブル回路基板１３０、５つの反転板１５０と粘着テープ１６０、キートップ取付部材１６５、中央キートップ１７０、揺動キートップ２００を設置して構成されている。
【００３０】
基台１１０は前記基台１０と同様に、合成樹脂を平板状に成形してなる硬質板によって構成されており、下記するキートップ取付部材１６５の各係止部１６６ｄに対向する位置には小孔からなる挿通孔１１１が形成されている。
【００３１】
接着材層１２０は前記接着材層２０と同様に、シートの上下面に接着層を有する両面接着シートであり、５つの反転板１５０にそれぞれ対向する部分に円形の穴１２１を設けている。穴１２１の内径寸法が反転板１５０の外径寸法よりも小さいことも同様である。また中央の穴１２１の周囲の下記するキートップ取付部材１６５の各係止部１６６ｄに対向する位置には小孔からなる挿通孔１２３が形成されている
【００３２】
フレキシブル回路基板１３０は前記フレキシブル回路基板３０と同様に、可撓性を有するフイルム１３１上に５つのスイッチパターン１３３を形成して構成されている。各スイッチパターン１３３の構成は前記スイッチパターン３３の構成と同じである。中央のスイッチパターン１３３の周囲の下記するキートップ取付部材１６５の各係止部１６６ｄに対向する位置には小孔からなる挿通孔１３５が形成されている。
【００３３】
各反転板１５０及び粘着テープ１６０の構成は前記反転板５０及び粘着テープ６０の構成と同じである。
【００３４】
キートップ取付部材１６５は合成樹脂の一体成形品であり、円筒状であって塞がれた上面１６６ａを有する形状の基部１６６と、基部１６６の外周側面から半径方向外方に向けて突出するアーム部１６７とを具備して構成されている。基部１６６の上面１６６ａの中央には略スリット形状の孔からなる押圧部挿通孔１６８が設けられ、また押圧部挿通孔１６８の左右両側には矩形状の小孔からなる係止孔１６６ｂが設けられ、さらに押圧部挿通孔１６８の周囲の所定位置には小孔からなるガイド孔１６６ｃが設けられている。基部１６６の下端辺からは４本の小突起からなる係止部１６６ｄが下方向に向かって突出している。各アーム部１６７は薄板状であってその両端が基部１６６の外周側面に接続されており、これによって上下方向に揺動自在に構成され、さらに中間位置に取付孔１６７ａを形成して構成されている。
【００３５】
中央キートップ１７０は合成樹脂の一体成形品であり、略円板状のキートップ本体部１７１と、キートップ本体部１７１の下面中央から下方向に突出する略平板柱状の押圧部１７３と、キートップ本体部１７１の下面の押圧部１７３の両側位置から下方向に向かって突出する先端に爪を設けた一対の係止爪１７５と、キートップ本体部１７１の下面の所定位置から下方向に向かって突出する小突起からなるガイド突起１７７とを具備して構成されている。
【００３６】
揺動キートップ２００は合成樹脂の一体成形品であり、略円形の本体部２０１と、本体部２０１の外周に設けた筒状の側壁部２０３とを有する構造である。本体部２０１の中央には前記中央キートップ１７０のキートップ本体部１７１を挿通するキートップ挿入孔２０５が設けられ、また本体部２０１の下面のキートップ挿入孔２０５の周囲には等間隔に４本の下方向に突出する突起からなる固定部２０７が設けられている。側壁部２０３の下端辺の等間隔の４か所には下方向に突出する小突起からなる押圧部２０９が設けられている。
【００３７】
そして多方向押圧型電子部品１００を組み立てるには、まず中央キートップ１７０をキートップ取付部材１６５の基部１６６上に配置し、その際中央キートップ１７０の押圧部１７３を基部１６６の押圧部挿通孔１６８に挿入し、且つ中央キートップ１７０の係止爪１７５を基部１６６の係止孔１６６ｂに挿入して係止爪１７５先端の爪を基部１６６の下面に係止し、同時に中央キートップ１７０のガイド突起１７７を基部１６６のガイド孔１６６ｃに挿入する。
【００３８】
次に揺動キートップ２００の本体部２０１の下面側に、中央キートップ１７０を取り付けたキートップ取付部材１６５を設置し、その際揺動キートップ２００のキートップ挿入孔２０５にその下面側から中央キートップ１７０のキートップ本体部１７１を挿入する。このとき揺動キートップ２００の各固定部２０７をキートップ取付部材１６５の各取付孔１６７ａに挿入し、各固定部２０７の先端を熱かしめして両者間を固定する。
【００３９】
一方フレキシブル回路基板１３０の各スイッチパターン１３３上に粘着テープ１６０によって反転板１５０を貼り付け、次にこのフレキシブル回路基板１３０を接着材層１２０を介して基台１１０上に貼り付ける。
【００４０】
そして前記フレキシブル回路基板１３０上に前記キートップ取付部材１６５の基部１６６を載置し、その際基部１６６の各係止部１６６ｄをフレキシブル回路基板１３０の各挿通孔１３５と接着材層１２０の各挿通孔１２３と基台１１０の各挿通孔１１１に挿入し、各係止部１６６ｄの先端を基台１１０の下面で熱かしめする。これによって多方向押圧型電子部品１００が完成する。このとき図８に示すように、接着材層１２０の反転板１５０に対向する部分に設けた穴１２１によって、フレキシブル回路基板１３０と基台１１０の間に空間部１８０が形成される。なお上記組立手順はその一例であり、他の各種異なる組立手順を用いて組み立てても良いことはいうまでもない。
【００４１】
そして中央キートップ１７０のキートップ本体部１７１を押圧すれば、その押圧部１７３が反転板１５０を押圧してこれを反転し、そのスイッチをオンする。一方揺動キートップ２００の上面の何れかを押圧すれば、押圧した方向に揺動キートップ２００が傾き、その際下降した押圧部２０９がこれに対向する反転板１５０を押圧してこれを反転し、そのスイッチをオンする。
【００４２】
何れのスイッチがオンする際も、反転板１５０の中央部分はフレキシブル回路基板１３０を押圧してこれを撓めて空間部１８０内に入り込ませる。このため上述した理由、即ち反転板１５０の周囲の部分の持ち上がりによる振動が抑制され、且つ反転板１５０の反転時の振動の一部がこれを押し付けたフレキシブル回路基板１３０に吸収、減衰されることを理由として、クリック音及び基台１１０等を通じての振動の伝搬が効果的に防止される。
【００４３】
図９は本発明の第２実施形態に係る押圧式スイッチ１−２の拡大側断面図（図２と同一部分の断面図、但し粘着テープの記載を省略）である。同図に示す押圧式スイッチ１−２において、前記図１〜図５に示す押圧式スイッチ１−１と同一又は相当部分には同一符号を付す。なお以下で説明する事項以外の事項については、前記図１〜図５に示す押圧式スイッチ１−１と同じである。
【００４４】
この押圧式スイッチ１−２において前記押圧式スイッチ１−１と相違する点は、押圧式スイッチ１−１で用いた接着材層２０の代りに、合成樹脂フイルム製の中間層（以下「板材層」という）２０−２を用い、この板材層２０−２に設けた小孔からなる取付孔２８−２とフレキシブル回路基板３０に設けた小孔からなる取付孔３８−２に、基台１０の上面から突出する小突起からなる係止部１１−２を挿入してフレキシブル回路基板３０の上面で熱かしめして固定した点である。板材層２０−２の反転板５０に対向する部分には円形の穴２１−２が形成され、この穴２１−２によって空間部８０−２が形成される。穴２１−２の内径寸法（この例では４mm）は、前記穴２０の内径寸法と同様、反転板５０の外径寸法（この例では５mm）よりも小さく形成している。
【００４５】
このように中間層として、接着材層２０の代りに板材層２０−２を用いても、前記押圧式スイッチ１−１で述べたと同様の作用効果を生じる。なおこの例では板材層２０−２の厚みを前記接着材層２０と同じ、７５μｍとしている。
【００４６】
図１０は本発明の第３実施形態に係る押圧式スイッチ１−３の拡大側断面図（図２と同一部分の断面図、但し粘着テープの記載を省略）である。同図に示す押圧式スイッチ１−３において、前記図１〜図５に示す押圧式スイッチ１−１と同一又は相当部分には同一符号を付す。なお以下で説明する事項以外の事項については、前記図１〜図５に示す押圧式スイッチ１−１と同じである。
【００４７】
この押圧式スイッチ１−３において前記押圧式スイッチ１−１と相違する点は、押圧式スイッチ１−１で用いた接着材層２０の下側に、さらに別の中間層（以下「第２接着材層」という）２０−３を介して基台１０を接着した点である。第２接着材層２０−３はシートの基台１０側を向く面のみに接着面があり、フレキシブル回路基板３０と第２接着材層２０−３間は接着材層２０によって接着され、第２接着材層２０−３と基台１０間は第２接着材層２０−３によって接着されている。
【００４８】
このように構成しても、接着材層２０に形成されている穴２１によって空間部８０が形成され、前記押圧式スイッチ１−１で述べたと同様の作用効果を生じる。なおこの例では第２接着材層２０−３の厚みを前記接着材層２０と同じ７５μｍとしている。
【００４９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記各実施形態では中間層として接着材層や板材層を用いたが、例えば樹脂ペーストをスクリーン印刷することで中間層を形成する等、フレキシブル回路基板と基台の間に薄い層を形成できて空間部を形成できるものであれば、他の各種形状・材質・構造の中間層であっても良い。また上記押圧式スイッチ１−３のように、中間層８０は必ずしもフレキシブル回路基板３０と基台１０間を貫通していなくても良い。要は反転する反転板がフレキシブル回路基板のスイッチパターンに当接してスイッチをオンした上でさらにフレキシブル回路基板を押圧して撓めて入り込むことができる空間部であればよい。
【符号の説明】
【００５０】
１−１  押圧式スイッチ
１０  基台
２０  接着材層（中間層）
２１  穴
３０  フレキシブル回路基板
３１  フイルム
３３  スイッチパターン
５０  反転板
６０  粘着テープ
７０  キートップ
８０  空間部
１００  多方向押圧型電子部品
１１０  基台
１２０  接着材層
１２１  穴
１３０  フレキシブル回路基板
１３１  フイルム
１３３  スイッチパターン
１５０  反転板
１６０  粘着テープ
１６５  キートップ取付部材
１７０  中央キートップ
１８０  空間部
２００  揺動キートップ
１−２  押圧式スイッチ
２０−２  板材層（中間層）
２１−２  穴
８０−２  空間部
１−３  押圧式スイッチ
【図１】
2014086153.tif 000003
【図２】
2014086153.tif 000004
【図３】
2014086153.tif 000005
【図４】
2014086153.tif 000006
【図５】
2014086153.tif 000007
【図６】
2014086153.tif 000008
【図７】
2014086153.tif 000009
【図８】
2014086153.tif 000010
【図９】
2014086153.tif 000011
【図１０】
2014086153.tif 000012